(57)【特許請求の範囲】
【請求項１】
巻き取りローラに取り付けられた捨て布の先端にジョイント材を介してスクリーン生地を交換可能に取り付けたロールカーテンのスクリーン生地交換方法において、前記ジョイント材を前記捨て布に対して幅方向にスライド可能に備え、前記スクリーン生地及び捨て布を前記巻き取りローラから解いて引き出した後、前記ジョイント材を前記捨て布に対してスライドさせて幅方向に突出させ、当該突出させた部分を窓枠側の部材に引っ掛けることで前記スクリーン生地及び捨て布の巻き取りを阻止し、この状態で前記スクリーン生地を前記ジョイント材から取り外して交換することを特徴とするロールカーテンのスクリーン生地交換方法。
【請求項２】
前記窓枠側の部材は、前記巻き取りローラを隠す部材であることを特徴とする請求項１記載のロールカーテンのスクリーン生地交換方法。
【請求項３】
前記窓枠側の部材は、前記巻き取りローラの端部を支持する部材であることを特徴とする請求項１記載のロールカーテンのスクリーン生地交換方法。
【発明の詳細な説明】
【０００１】
【発明の属する技術分野】
本発明は、ロールカーテンのスクリーン生地交換方法に関する。更に詳述すると、本発明は、巻き取りローラがスクリーン生地を巻き取る方向に常に付勢されているロールカーテンであって、巻き取りローラに取り付けられた捨て布と窓を覆うスクリーン生地とをジョイント材によって連結するロールカーテンのスクリーン生地交換方法に関するものである。
【０００２】
【従来の技術】
従来、鉄道車両等に使用されるロールカーテンとして、巻き取りローラに取り付けられた捨て布と窓を覆うスクリーン生地とをジョイント材によって取り外し可能に連結し、スクリーン生地の交換を容易にしたものがある（特開平１０−２９２７５６号）。かかるロールカーテンでは、巻き取りローラを巻き取る方向に常に付勢しているので、スクリーン生地の交換を行う場合には、ロック機構によってスクリーン生地を引き出した状態で巻き取りローラの回転をロックしながらその交換作業を行うようにしている。このロック機構では、巻き取りローラの端部を支持する支持プレートに係合溝を形成する等の構成によって係合溝を巻き取りローラの端部近傍に配置する一方、この係合溝に向けて突出する係合ピンを捨て布側に設け、スクリーン生地を所定位置まで引き出した状態で捨て布を巻き取りローラに対してスライドさせて係合ピンを係合溝に挿入し巻き取りローラの回転をロックするようにしている。
【０００３】
【発明が解決しようとする課題】
このロールカーテンは、新たに製造する鉄道車両等に対してはその適用は容易であり現実にも採用されつつあるが、巻き取りローラの回転をロックするために専用のロック機構を必要とするので、既存の鉄道車両等に既に取り付けられている旧式のロールカーテンを上述のロールカーテンに取り換えるのは困難であった。即ち、既存の鉄道車両等に既に取り付けられている旧式の巻き取りローラを支持プレートから取り外して上述の巻き取りローラに交換することは可能ではあるが、支持プレートは鉄道車両等を製造する際に車体側にリベット等によって固定されており、旧式の支持プレートを上述の係合溝が形成されているものに交換するのは困難である。このため、ロック機構の実現が困難となり、既存の鉄道車両等のロールカーテンを上述のスクリーン生地の交換が容易なロールカーテンに取り換える障害となっている。
【０００４】
本発明は、スクリーン生地の交換が容易なロールカーテンにおいて、専用のロック機構が無くても巻き取りローラの回転をロックした状態でスクリーン生地の交換を行うことが出来るロールカーテンのスクリーン生地交換方法を提供することを目的とする。
【０００５】
【課題を解決するための手段】
かかる目的を達成するために請求項１記載の発明は、巻き取りローラに取り付けられた捨て布の先端にジョイント材を介してスクリーン生地を交換可能に取り付けたロールカーテンのスクリーン生地交換方法において、ジョイント材を捨て布に対して幅方向にスライド可能に備え、スクリーン生地及び捨て布を巻き取りローラから解いて引き出した後、ジョイント材を捨て布に対してスライドさせて幅方向に突出させ、当該突出させた部分を窓枠側の部材に引っ掛けることでスクリーン生地及び捨て布の巻き取りを阻止し、この状態でスクリーン生地をジョイント材から取り外して交換するようにしている。
【０００６】
したがって、スクリーン生地及び捨て布を引き出した状態でジョイント材を捨て布に対して幅方向にスライドさせると、このジョイント材の端部が突出してはみ出し、スクリーン生地及び捨て布を巻き取る際に窓枠側の部材に引っ掛かる。このため、この突出部分が捨て布及びスクリーン生地の巻き取りの障害となり、スクリーン生地及びジョイント材が引き出されている状態で巻き取りローラの回転がロックされることになる。この状態でジョイント材からスクリーン生地を取り外して交換を行う。巻き取りローラの回転がロックされているので、作業者はスクリーン生地の交換作業を両手で行うことができる。この様に、ジョイント材をスライドさせることで巻き取りローラの回転を簡単、確実にロックすることが出来るので、専用のロック機構を設ける必要がない。
【０００７】
この場合、請求項２記載のロールカーテンのスクリーン生地交換方法のように、窓枠側の部材を巻き取りローラを隠す部材とすることが好ましい。巻き取りローラを隠す部材は、捨て布やスクリーン生地を巻き取る場合に巻き取りローラよりも幅方向に大きく突出しているものを通過させることが出来ない。したがって、スクリーン生地及び捨て布を引き出した後、ジョイント材を捨て布に対して幅方向にスライドさせて突出させることで、この突出部分を巻き取りローラを隠す部材に引っ掛けることができる。
【０００８】
また、請求項３記載のロールカーテンのスクリーン生地交換方法のように、窓枠側の部材を巻き取りローラの端部を支持する部材とすることが好ましい。巻き取りローラの端部を支持する部材は、捨て布やスクリーン生地を巻き取る場合に捨て布やスクリーン生地よりも幅方向に大きく突出しているものを通過させることが出来ない。したがって、スクリーン生地及び捨て布を引き出した後、ジョイント材を捨て布に対して幅方向にスライドさせて突出させることで、この突出部分を巻き取りローラの端部を支持する部材に引っ掛けることができる。
【０００９】
【発明の実施の形態】
以下、本発明の構成を図面に示す最良の形態に基づいて詳細に説明する。
【００１０】
図１〜図４に、本発明のスクリーン生地交換方法を実施するロールカーテンの実施形態の一例を示す。このロールカーテンのスクリーン生地交換方法は、巻き取りローラ３に取り付けられた捨て布６の先端６ｂにジョイント材７を取り付けると共に、当該ジョイント材７にスクリーン生地４を交換可能に取り付け、巻き取りローラ３の巻き取り力に抗してスクリーン生地４を引き出し係止して使用する一方、引き出したスクリーン生地４の係止を解くことで巻き取りローラ３によってスクリーン生地４を巻き取らせるロールカーテンで使用されるもので、ジョイント材７を捨て布６に対して幅方向にスライド可能にし、スクリーン生地４及び捨て布６を引き出した後、ジョイント材７を捨て布６に対してスライドさせて幅方向に突出させ、当該突出させた部分（以下、突出部分という）１６を窓枠側の部材に引っ掛けることでスクリーン生地４及び捨て布６の巻き取りを阻止し、この状態でスクリーン生地４をジョイント材７から取り外して交換するものである。
【００１１】
このロールカーテンは、例えば鉄道車両の窓用のもので、窓１の上方には図示していない網棚の付け根に沿ってキセ２が設けられており、このキセ２の内側に巻き取りローラ３が配置されている。即ち、このキセ２がジョイント材７の突出部分１６を引っ掛ける窓枠側の部材である。また、窓１の左右両側には、ガイドレール５が設けられている。
【００１２】
巻き取りローラ３はほぼ円柱形状を成しており、その両端は車体に溶接やビス止めなどで固着された左右一対の支持プレート９によって回転自在に支持されている。巻き取りローラ３は、内部に収納する図示していないトーションコイルスプリングなどの付勢手段によって巻き取り方向に回転するように常時付勢されている。この巻き取りローラ３の外周面には、平面座に形成された切り欠き部３ａ及び取付溝３ｂが当該巻き取りローラ３の全長にわたり形成されている。切り欠き部３ａには、図２において２点鎖線で示すように、捨て布６を巻き取った場合にジョイント材７が配置される。一方、取付溝３ｂは捨て布６を取り付けるためのもので、開口部分が溝奥の底部に比べて狭く形成されている。
【００１３】
ジョイント材７には、２つの取付溝７ａ，７ｂが当該ジョイント材７の全長にわたって形成されている。取付溝７ａ，７ｂは、開口部分が溝奥の底部分に比べて狭くなっている。第１取付溝７ａはジョイント材７の上端面に、第２取付溝７ｂはジョイント材７の下端面にそれぞれ形成されている。また、ジョイント材７の表側の面７ｃは、巻き取りローラ３の外周面と同じ曲率の曲面から成り、裏側の面は平坦面に形成されている。したがって、ジョイント材７が巻き取りローラ３の切欠部３ａに配置されると、図２中２点鎖線で示すように、当該ジョイント材７が巻き取りローラ３の円周の一部となってこれらの横断面形状の輪郭が円形になる。このジョイント材７は、例えばアルミ合金を押し出し成形することで安価に製造される。
【００１４】
一方、捨て布６の上端６ａ及び下端６ｂは、例えば折り返し縫製されて芯材１１，１２を通す袋部（以下、袋部６ａ，６ｂという）が設けられている。この上端の袋部６ａは巻き取りローラ３の取付溝３ｂ内に差し込まれており、その袋部６ａに芯材１１を挿入することで取付溝３ｂからの抜けが阻止される継手を構成している。また、捨て布６の下端の袋部６ｂはジョイント材７に形成された第１取付溝７ａ内に差し込まれており、その袋部６ｂに芯材１２を挿入することで第１取付溝７ａからの抜けが阻止され且つ捨て布６に対するジョイント材７の幅方向へのスライドを可能にする継手を構成している。この捨て布６の長さは、例えばスクリーン生地４の交換作業の行い易さ等を考慮して決定されるが、少なくとも巻き取りローラ３に巻き付けられたときに切欠部３ａにジョイント材７が嵌まるように当接する長さとすることが必要である。
【００１５】
スクリーン生地４は、窓１を覆うのに十分な大きさを有している。スクリーン生地４の上端及び下端は、例えば折り返し縫製されて袋部４ａ，４ｂが形成されている。スクリーン生地４の上端の袋部４ａはジョイント材７の第２取付溝７ｂ内に差し込まれており、その袋部４ａに芯材１３を挿入することで先端が膨出した突条を形成して、スクリーン生地４の引き出し方向への第２取付溝７ｂからの抜けを阻止し且つジョイント材７に対するスクリーン生地４の幅方向へのスライドを可能にする継手が構成されている。また、スクリーン生地４の下端の袋部４ｂは、図３に示すように、横棒８に形成されたスリット８ａ内に差し込まれており、その袋部４ｂに芯材１４を挿入することで先端が膨出した突条を形成して、スクリーン生地４の巻き取り方向へのスリット８ａからの抜けを阻止し且つスクリーン生地４に対する横棒８の幅方向へのスライドを可能にする継手が構成されている。また、横棒８の両端にはランナ１０が挿入されており、ランナ１０はねじ１５によって固定されている。ランナ１０は、ガイドレール５に形成された案内スリット５ａ内に挿入されてこれに案内されて移動すると共に、この案内スリット５ａに連続して所定間隔で形成された切り欠き５ｂに引っ掛かりスクリーン生地４を引き出した状態で係止する。この横棒８をガイドレール５より外すには、横棒８を斜めにして左右のランナ１０をガイドレール５の案内スリット５ａから引き抜けば良い。
【００１６】
なお、各芯材１１〜１４は、各袋部３ｂ，７ａ，７ｂ，４ｂへの挿入を容易にするために例えばピアノ線などの使用が好ましい。
【００１７】
このロールカーテンを使用する場合には、横棒８を掴んで引き出し、左右のランナ１０をガイドレール５の任意の切り欠き５ｂに引っ掛けてスクリーン生地４を係止すれば良い。横棒８を下げることでスクリーン生地４が巻き取りローラ３から引き出されて窓１を覆い日光を遮る。スクリーン生地４は窓１を覆うのに十分な大きさを有しているので、図４に示すように、ランナ１０を一番下の切り欠き５ｂに引っ掛けた場合であってもジョイント材７及び捨て布６がキセ２から露出することがなく、使用時において美観が害されることはない。
【００１８】
一方、ロールカーテンを収納状態にするには、ランナ１０を切り欠き５ｂから外してスクリーン生地４の係止を解き、巻き取りローラ３によってスクリーン生地４を巻き取れば良い。横棒８の上昇に伴って、巻き取りローラ３が捨て布６→ジョイント材７→スクリーン生地４の順番でこれらを巻き取る。このとき、最初に捨て布６が巻き取られてジョイント材７が巻き取りローラ３の切欠部３ａに配置されると、このジョイント材７が巻き取りローラ３の一部となって横断面形状の輪郭がほぼ円形となる。したがって、捨て布６に比べて非常に長いスクリーン生地４を横断面形状の輪郭がほぼ円形となった巻き取りローラ３によって巻き取ることができ、巻き形状を崩すことなく巻き取りローラ３をバランス良く回転させることができ、振動や騒音の発生等を抑えることができる。また、捨て布６及びジョイント材７は、スクリーン生地４と一緒に巻き取りローラ３によって巻き取られるので、これらが邪魔になることはない。
【００１９】
次に、スクリーン生地４の交換方法について具体的に説明する。
【００２０】
先ず、横棒８を掴んでスクリーン生地４を引き出し、ランナ１０を一番下の切り欠き５ｂに引っ掛けてスクリーン生地４を係止する。この後、スクリーン生地４の途中を掴んでスクリーン生地４をさらに引き出し、巻き取りローラ３に巻かれていた捨て布６を引き出してジョイント材７をキセ２から完全に露出させる。そして、ジョイント材７をスクリーン生地４ごと捨て布６に対して幅方向にスライドさせる。これにより、ジョイント材７の端部が突出する。
【００２１】
この状態でスクリーン生地４を引き出している力を弱めると、巻き取りローラ３が巻き取り方向に回転し、ジョイント材７の突出部分１６がキセ２に引っ掛かるまで捨て布６を巻き取る。即ち、ジョイント材７の突出部分１６がキセ２に引っ掛かることで巻き取りローラ３の回転がロックされ、以後、スクリーン生地４を引き出す力を完全に解除しても、捨て布６及びスクリーン生地４は巻き取りローラ３によって巻き取られることがない。
【００２２】
次に、横棒８を斜めにしてランナ１０をガイドレール５から外し、さらにジョイント材７に対してスクリーン生地４の上端の袋部４ａを幅方向にスライドさせて当該スクリーン生地４をジョイント材７から取り外す。この様にして横棒８ごとスクリーン生地４をジョイント材７から取り外した後、横棒８から片方のランナ１０を取り外し、スクリーン生地４の下端の袋部４ｂを芯材１４ごと引き抜いてスクリーン生地４から横棒８を取り外す（図５）。このとき、芯材１４は先にスクリーン生地４の袋部４ｂから取り外した。そして、新しいスクリーン生地４の下端の袋部４ｂを横棒８のスリット８ａにスライド挿入すると共に、芯材１４を挿入して袋部４ｂの脱落を防止する。この後、取り外しておいたランナ１０を横棒８の端部に挿入し、ねじ１５によって固定する。次に、新しいスクリーン生地４の上端の袋部４ａをジョイント材７の第２取付溝７ｂにスライド挿入し、さらに芯材１３を挿入して脱落を防止する。これらの作業時には巻き取りローラ３の回転はジョイント材７によってロックされているので、作業者はこれらの作業を両手で行うことが出来る。
【００２３】
この様にして新しいスクリーン生地４をジョイント材７に取り付けた後、このスクリーン生地４及び捨て布６を若干引き出してジョイント材７の突出部分１６をキセ２から離し、スクリーン生地４ごとジョイント材７を突出させた場合と逆方向にスライドさせて突出部分１６を引っ込める。そして、スクリーン生地４を引き出している力を弱めると、捨て布６→ジョイント材７→スクリーン生地４の順番で巻き取りローラ３に巻き取られ、ロールカーテンが収納状態となってスクリーン生地４の交換作業が終了する。
【００２４】
本発明のスクリーン生地交換方法では、スクリーン生地４を引き出した状態でジョイント材７を幅方向にスライドさせるだけで巻き取りローラ３の回転をロックし、及びそのロックを解除することが出来るので、スクリーン生地４の交換作業が簡単、迅速に行われる。
【００２５】
以上の方法でスクリーン生地４の交換を行うと、ロールカーテンに巻き取りローラ３の回転をロックする専用のロック機構を設けてなくても、その回転ロック及びロック解除を簡単に行うことができる。このため、支持プレート９を係合溝付きのものに交換できない既存の鉄道車両等に対しても、捨て布６とスクリーン生地４をジョイント材７によって連結することでスクリーン生地４の交換を簡単にしたロールカーテンを適用することが出来る。
【００２６】
なお、上述の形態は本発明の好適な形態の一例ではあるがこれに限定されるものではなく、本発明の要旨を逸脱しない範囲において種々変形実施可能である。例えば、上述の説明では、スライドさせたジョイント材７の突出部分１６を引っ掛ける窓枠側の部材として、巻き取りローラ３を隠す部材であるキセ２を利用していたが、これ以外の窓枠側の部材、例えば巻き取りローラ３の端部を支持する部材である支持プレート９を利用しても良い。即ち、支持プレート９にジョイント材７の突出部分１６を引っ掛けることで巻き取りローラ３の回転をロックするようにしても良い。
【００２７】
また、上述の説明では、ジョイント材７とスクリーン生地４とを取り外し可能に取り付けるための手段として、ジョイント材７の下端に第２取付溝７ｂを形成しているが、必ずしもこの取り付け方法に限るものではない。例えば、図６に示すように、ジョイント材７の下部にスプリング３１によってスクリーン生地４の上端４ａを強固に挟み付けるクリップ機構３０を形成し、スクリーン生地４の上端４ａを挟み付ける方法で取り外し可能に取り付けても良い。
【００２８】
【発明の効果】
以上説明したように請求項１記載のロールカーテンのスクリーン生地交換方法では、ジョイント材を捨て布に対して幅方向にスライド可能にし、スクリーン生地及び捨て布を引き出した後、ジョイント材を捨て布に対してスライドさせて幅方向に突出させ、当該突出させた部分を窓枠側の部材に引っ掛けることでスクリーン生地及び捨て布の巻き取りを阻止し、この状態でスクリーン生地をジョイント材から取り外して交換するようにしているので、専用のロック機構を設けなくても、スクリーン生地を引き出した状態で巻き取りローラの回転をロックすることができ、この状態でスクリーン生地の交換作業を行うことができる。このため、ロック機構の後付が困難な既存の鉄道車両等に対しても、捨て布とスクリーン生地をジョイント材によって連結することでスクリーン生地の交換が容易なロールカーテンを適用することが可能になる。
【００２９】
この場合、請求項２記載のロールカーテンのスクリーン生地交換方法のように、窓枠側の部材を巻き取りローラを隠す部材としたり、また、請求項３記載のロールカーテンのスクリーン生地交換方法のように、窓枠側の部材を巻き取りローラの端部を支持する部材とすることが好ましい。巻き取りローラを隠す部材や巻き取りローラの端部を支持する部材は、捨て布やスクリーン生地を巻き取る場合にジョイント材の突出部分を通過させることが出来ないので、巻き取りローラの回転を確実にロックすることが出来る。
【図面の簡単な説明】
【図１】本発明のスクリーン生地交換方法を実施するロールカーテンの実施形態の一例を示し、巻き取りローラの回転をロックしている状態の正面図である。
【図２】図１のＩＩ−ＩＩ線に沿う断面図である。
【図３】図１のＩＩＩ−ＩＩＩ線に沿う断面図である。
【図４】図１のロールカーテンの使用状態を示す正面図である。
【図５】図１のロールカーテンのスクリーン生地から横棒を取り外す様子を示す正面図である。
【図６】図１のロールカーテンのジョイント材の他の実施形態を示す断面図である。
【符号の説明】
２  キセ（巻き取りローラを隠す部材）
３  巻き取りローラ
４  スクリーン生地
６  捨て布
７  ジョイント材
９  支持プレート（巻き取りローラの端部を支持する部材）
１６  ジョイント材の突出部分
【図１】
0003959204.tif 000002
【図２】
0003959204.tif 000003
【図３】
0003959204.tif 000004
【図４】
0003959204.tif 000005
【図５】
0003959204.tif 000006
【図６】
0003959204.tif 000007